【手続補正書】
【提出日】平成27年1月20日(2015.1.20)
【手続補正１】
【補正対象書類名】明細書
【補正対象項目名】０００５
【補正方法】変更
【補正の内容】
【０００５】
本発明は、ウェブ会議システムにおいて共有する候補に設定されたアプリケーションを適切に表示する仕組みを提供することを目的としている。
【手続補正２】
【補正対象書類名】明細書
【補正対象項目名】０００６
【補正方法】変更
【補正の内容】
【０００６】
本発明は、ウェブ会議において複数の情報処理装置間でアプリケーションの表示を共有する共有機能を備える情報処理装置とウェブ会議サーバとを含むウェブ会議システムであって、前記情報処理装置は、前記ウェブ会議において前記共有機能により表示を共有する候補となる前記アプリケーションを選択設定する選択設定手段と、前記選択設定手段により選択設定された表示を共有する候補となる前記アプリケーションの一覧を表示する一覧表示手段と、前記一覧表示手段で表示されたアプリケーションから、表示を共有するアプリケーションの選択を受け付ける選択受付手段と、前記選択受付手段で選択を受け付けたアプリケーションの表示を前記複数の情報処理装置間で共有する共有処理を実行する共有処理実行手段と、を備えることを特徴とする。
【手続補正３】
【補正対象書類名】明細書
【補正対象項目名】０００７
【補正方法】変更
【補正の内容】
【０００７】
本発明によれば、ウェブ会議システムにおいて共有する候補に設定されたアプリケーションを適切に表示する仕組みを提供することができる。
【手続補正４】
【補正対象書類名】特許請求の範囲
【補正対象項目名】全文
【補正方法】変更
【補正の内容】
【特許請求の範囲】
【請求項１】
ウェブ会議において複数の情報処理装置間でアプリケーションの表示を共有する共有機能を備える情報処理装置とウェブ会議サーバとを含むウェブ会議システムであって、
前記情報処理装置は、
前記ウェブ会議において前記共有機能により表示を共有する候補となる前記アプリケーションを選択設定する選択設定手段と、
前記選択設定手段により選択設定された表示を共有する候補となる前記アプリケーションの一覧を表示する一覧表示手段と、
前記一覧表示手段で表示されたアプリケーションから、表示を共有するアプリケーションの選択を受け付ける選択受付手段と、
前記選択受付手段で選択を受け付けたアプリケーションの表示を前記複数の情報処理装置間で共有する共有処理を実行する共有処理実行手段と、
を備えることを特徴とするウェブ会議システム。
【請求項２】
前記一覧表示手段は、前記選択設定手段により選択設定された表示を共有する候補となるアプリケーションであって、前記情報処理装置において起動中のアプリケーションを一覧表示することを特徴とする請求項１に記載のウェブ会議システム。
【請求項３】
前記選択設定手段は、前記会議サーバにおけるウェブ会議の会議室に対応付けて、前記共有機能により表示を共有する候補となる前記アプリケーションを選択設定し、
前記一覧表示手段は、前記情報処理装置において入室している前記会議室に対応付けて選択設定された前記表示を共有する候補となるアプリケーションを一覧表示することを特徴とする請求項請求項１又は２に記載のウェブ会議システム。
【請求項４】
前記情報処理装置は、
前記ウェブ会議が開始されることで自動起動するアプリケーションを設定する自動起動設定手段と、
前記ウェブ会議が開始されることで、前記自動起動設定手段で自動起動すると設定されたアプリケーションを自動起動する自動起動手段と、
を備えることを特徴とする請求項１乃至３のいずれか１項に記載のウェブ会議システム。
【請求項５】
前記自動起動設定手段は、前記会議サーバにおけるウェブ会議の会議室に対応付けて、前記自動起動するアプリケーションを設定し、
前記自動起動手段は、前記情報処理装置において入室している前記会議室に対応付けて自動起動すると設定された前記アプリケーションを自動起動することを特徴とする請求項４に記載のウェブ会議システム。
【請求項６】
前記情報処理装置は、
前記ウェブ会議が開始されることで前記共有機能を用いて自動共有するアプリケーションを設定する自動共有設定手段と、
前記ウェブ会議が開始されることで、前記自動共有設定手段で自動共有すると設定されたアプリケーションの表示を前記複数の情報処理装置間で自動共有する自動共有手段と、
を備えることを特徴とする請求項１乃至５のいずれか１項に記載のウェブ会議システム。
【請求項７】
前記自動共有設定手段は、前記会議サーバにおけるウェブ会議の会議室に対応付けて、前記自動共有するアプリケーションを設定し、
前記自動共有手段は、前記情報処理装置において入室している前記会議室に対応付けて自動共有すると設定された前記アプリケーションの表示を、前記複数の情報処理装置間で自動共有することを特徴とする請求項６に記載のウェブ会議システム。
【請求項８】
前記情報処理装置は、
前記複数の情報処理装置間で画面を共有するアプリケーションの選択画面である共有アプリケーション選択画面を表示する共有アプリケーション選択画面表示手段と
を備え、
前記選択設定手段は、前記共有アプリケーション選択画面表示手段により表示された前記共有アプリケーション選択画面において選択を受け付けたアプリケーションを、前記複数の情報処理装置間で画面を共有する候補となるアプリケーションとして選択設定することを特徴とする請求項１乃至７のいずれか１項に記載のウェブ会議システム。
【請求項９】
前記会議サーバは、
前記選択設定手段でいずれの前記アプリケーションが前記共有機能により表示を共有する候補となるアプリケーションとして選択設定されたかを示す設定情報を記憶する設定情報記憶手段
を備え、
前記情報処理装置は、
前記設定情報記憶手段に記憶された前記設定情報を取得する取得手段
を備え、
前記一覧表示手段は、前記取得手段で取得された前記設定情報に従って、前記選択設定手段により選択設定された表示を共有する候補となる前記アプリケーションの一覧を表示することを特徴とする請求項１乃至８のいずれか１項に記載のウェブ会議システム。
【請求項１０】
ウェブ会議において複数の情報処理装置間でアプリケーションの表示を共有する共有機能を備える情報処理装置とウェブ会議サーバとを含むウェブ会議システムの制御方法であって、
前記情報処理装置において、
選択設定手段が、前記ウェブ会議において前記共有機能により表示を共有する候補となる前記アプリケーションを選択設定する選択設定ステップと、
一覧表示手段が、前記選択設定手段により選択設定された表示を共有する候補となる前記アプリケーションの一覧を表示する一覧表示ステップと、
選択受付手段が、前記一覧表示ステップで表示されたアプリケーションから、表示を共有するアプリケーションの選択を受け付ける選択受付ステップと、
共有処理実行手段が、前記選択受付ステップで選択を受け付けたアプリケーションの表示を前記複数の情報処理装置間で共有する共有処理を実行する共有処理実行ステップと、
を含むことを特徴とする制御方法。
【請求項１１】
ウェブ会議において複数の情報処理装置間でアプリケーションの表示を共有する共有機能を備える情報処理装置とウェブ会議サーバとを含むウェブ会議システムを制御するプログラムであって、
前記情報処理装置を、
前記ウェブ会議において前記共有機能により表示を共有する候補となる前記アプリケーションを選択設定する選択設定手段と、
前記選択設定手段により選択設定された表示を共有する候補となる前記アプリケーションの一覧を表示する一覧表示手段と、
前記一覧表示手段で表示されたアプリケーションから、表示を共有するアプリケーションの選択を受け付ける選択受付手段と、
前記選択受付手段で選択を受け付けたアプリケーションの表示を前記複数の情報処理装置間で共有する共有処理を実行する共有処理実行手段として機能させることを特徴とするコンピュータで読み取り実行可能なプログラム。
【請求項１２】
ウェブ会議サーバと接続可能な、ウェブ会議において複数の情報処理装置間でアプリケーションの表示を共有する共有機能を備える情報処理装置であって、
前記ウェブ会議において前記共有機能により表示を共有する候補となる前記アプリケーションを選択設定する選択設定手段と、
前記選択設定手段により選択設定された表示を共有する候補となる前記アプリケーションの一覧を表示する一覧表示手段と、
前記一覧表示手段で表示されたアプリケーションから、表示を共有するアプリケーションの選択を受け付ける選択受付手段と、
前記選択受付手段で選択を受け付けたアプリケーションの表示を前記複数の情報処理装置間で共有する共有処理を実行する共有処理実行手段と、
を備えることを特徴とする情報処理装置。
【請求項１３】
ウェブ会議サーバと接続可能な、ウェブ会議において複数の情報処理装置間でアプリケーションの表示を共有する共有機能を備える情報処理装置の制御方法であって、
前記情報処理装置において、
選択設定手段が、前記ウェブ会議において前記共有機能により表示を共有する候補となる前記アプリケーションを選択設定する選択設定ステップと、
一覧表示手段が、前記選択設定手段により選択設定された表示を共有する候補となる前記アプリケーションの一覧を表示する一覧表示ステップと、
選択受付手段が、前記一覧表示ステップで表示されたアプリケーションから、表示を共有するアプリケーションの選択を受け付ける選択受付ステップと、
共有処理実行手段が、前記選択受付ステップで選択を受け付けたアプリケーションの表示を前記複数の情報処理装置間で共有する共有処理を実行する共有処理実行ステップと、
を含むことを特徴とする制御方法。
【請求項１４】
ウェブ会議サーバと接続可能な、ウェブ会議において複数の情報処理装置間でアプリケーションの表示を共有する共有機能を備える情報処理装置を制御するプログラムであって、
前記情報処理装置を、
前記ウェブ会議において前記共有機能により表示を共有する候補となる前記アプリケーションを選択設定する選択設定手段と、
前記選択設定手段により選択設定された表示を共有する候補となる前記アプリケーションの一覧を表示する一覧表示手段と、
前記一覧表示手段で表示されたアプリケーションから、表示を共有するアプリケーションの選択を受け付ける選択受付手段と、
前記選択受付手段で選択を受け付けたアプリケーションの表示を前記複数の情報処理装置間で共有する共有処理を実行する共有処理実行手段として機能させることを特徴とするコンピュータで読み取り実行可能なプログラム。